(57)【要約】【課題】圧縮コイルスプリングの組み付け作業性を向上でき、作動不良をなくすことができる電磁継電器を提供する。【解決手段】固定接点収納部１３に固定接点１６を固定し、固定接点１６に接触、離反する可動接点１７を移動自在としたケーシング１１と、ケーシング内に収納され、円筒状のコイル巻胴部２１ｃにコイル２２を巻き回したボビン２１と、コイル巻胴部内に収納されて可動接点を移動させるプランジャ２６と、ケーシングの可動接点に対向する位置に凹状に形成されたスプリング収納部１５に収納され、可動接点を固定接点に押圧する圧縮コイルスプリング１８を備えた電磁継電器１０において、スプリング収納部の開口部１５ａの開口端１５ｂに可動接点が当接する突き当て部１４ｂを形成し、スプリング収納部を開口部の開口端より奥に行くに従って径が小さくなる円錐凹状に形成した。【選択図】図１
2008084542.tif 000002
【特許請求の範囲】
【請求項１】
内部の所定位置に形成された接点収納部に固定接点を固定すると共に、該固定接点に接触、離反する可動接点を移動自在に配設したケーシングと、このケーシング内に収納され、中央の円筒状のコイル巻胴部にコイルを巻き回したボビンと、このボビンのコイル巻胴部内に収納されて前記可動接点を移動させるプランジャと、前記ケーシングの前記可動接点に対向する位置に凹状に形成されたスプリング収納部に収納され、該可動接点を前記固定接点に押圧付勢する圧縮コイルスプリングとを備えた電磁継電器において、
前記スプリング収納部の開口部の開口端に前記可動接点が当接する突き当て部を形成し、かつ、前記スプリング収納部を前記開口部の開口端より奥に行くに従って径が小さくなる円錐凹状に形成したことを特徴とする電磁継電器。
【請求項２】
請求項１記載の電磁継電器であって、
前記圧縮コイルスプリングを前記円錐凹状のスプリング収納部の奥に行くに従って径が大きくなる逆円錐状に形成したことを特徴とする電磁継電器。
【発明の詳細な説明】
【技術分野】
【０００１】
本発明は、プランジャ型の電磁継電器に関する。
【背景技術】
【０００２】
この種の電磁継電器として、図２に示すものがある（例えば、特許文献１参照。）。
【０００３】
この電磁継電器１は、図２に示すように、内部の所定位置に形成された段差凹状の接点収納部３の第１の段差部３ａに固定接点４を加締め固定すると共に、該固定接点４に接触、離反する可動接点５を接点収納部３の第１の段差部３ａと第２の段差部３ｂとの間にスライダ５Ａを介して昇降動自在に配設した箱形のケーシング２と、このケーシング２内に収納され、中央の円筒状のコイル巻胴部６ａにコイル６ｂを巻き回したボビン６と、このボビン６のコイル巻胴部６ａ内に収納されて可動接点５を移動させるプランジャ７と、ケーシング２の可動接点５に対向する位置に凹状に形成されたスプリング収納部３ｃに収納され、該可動接点５をスライダ５Ａを介して固定接点４に押圧付勢する第１の圧縮コイルスプリング８と、プランジャ７をボビン６のコイル巻胴部６ａより突出する方向に押圧付勢する第２の圧縮コイルスプリング９を備えている。
【０００４】
そして、第２の圧縮コイルスプリング９の弾性力は、第１の圧縮コイルスプリング８の弾性力よりも強くなっており、コイル６ｂに励磁電流が通電されないときは、第２の圧縮コイルスプリング９の付勢力により可動接点５は固定接点４から離反するようになっている。また、コイル６ｂに励磁電流が通電されると、プランジャ７が第２の圧縮コイルスプリング９の弾性力に抗して下方に吸引移動して、第１の圧縮コイルスプリング８の付勢力により可動接点５がスライダ５Ａを介して下方へ移動し、可動接点５が固定接点４に接触するようになっている。
【０００５】
【特許文献１】実開平５−７３８３６号公報
【発明の開示】
【発明が解決しようとする課題】
【０００６】
しかしながら、前記従来の電磁継電器１では、その構造上固定接点４とスプリング収納部３ｃとの間に、可動接点５、圧縮コイルスプリング８が配置されることから、ケーシング２に圧縮コイルスプリング８をスプリング収納部３ｃに、その上に可動接点５、固定接点４を同時に配置し、固定接点４をケーシング２に加締め固定している。この際、圧縮コイルスプリング８や可動接点５、固定接点４が脱落しないようにケーシング２の開口側から組み付けることになる。そのため、ケーシング２のスプリング収納部３ｃに圧縮コイルスプリング８を組み付ける際にケーシング２の接点収納部３の第２の段差部３ｂに圧縮コイルスプリング８が引っ掛かり易く、その組み付け作業性が悪かった。また、ケーシング２の接点収納部３の第２の段差部３ｂに圧縮コイルスプリング８が引っ掛かった状態で組み付けられると、作動不良を起こすおそれがあった。
【０００７】
そこで、本発明は、前記した課題を解決すべくなされたものであり、スプリング収納部内への圧縮コイルスプリングの組み付け作業性を向上させることができると共に、常に良好な作動状態を得ることができる電磁継電器を提供することを目的とする。
【課題を解決するための手段】
【０００８】
請求項１の発明は、内部の所定位置に形成された接点収納部に固定接点を固定すると共に、該固定接点に接触、離反する可動接点を移動自在に配設したケーシングと、このケーシング内に収納され、中央の円筒状のコイル巻胴部にコイルを巻き回したボビンと、このボビンのコイル巻胴部内に収納されて前記可動接点を移動させるプランジャと、前記ケーシングの前記可動接点に対向する位置に凹状に形成されたスプリング収納部に収納され、該可動接点を前記固定接点に押圧付勢する圧縮コイルスプリングとを備えた電磁継電器において、前記スプリング収納部の開口部の開口端に前記可動接点が当接する突き当て部を形成し、かつ、前記スプリング収納部を前記開口部の開口端より奥に行くに従って径が小さくなる円錐凹状に形成したことを特徴とする。
【０００９】
請求項２の発明は、請求項１記載の電磁継電器であって、前記圧縮コイルスプリングを前記円錐凹状のスプリング収納部の奥に行くに従って径が大きくなる逆円錐状に形成したことを特徴とする。
【発明の効果】
【００１０】
以上説明したように、請求項１の発明によれば、ケーシングのスプリング収納部の開口部の開口端に可動接点が当接する突き当て部を形成し、かつ、スプリング収納部を開口部の開口端より奥に行くに従って径が小さくなる円錐凹状に形成したことにより、電磁継電器を組み付ける際、ケーシングに圧縮コイルスプリング、可動接点、固定接点を配置して、固定接点をケーシングに加締め固定する工程において、ケーシングのスプリング収納部の開口部の開口端の突き当て部に引っ掛かることなく圧縮コイルスプリングをケーシングのスプリング収納部内に簡単に収納することができる。これにより、圧縮コイルスプリングの組み付け作業性を向上させることができ、良好な作動状態を得ることができる。
【００１１】
請求項２の発明によれば、圧縮コイルスプリングをケーシングの円錐凹状のスプリング収納部の奥に行くに従って径が大きくなる逆円錐状に形成したことにより、ケーシングのスプリング収納部の開口部の開口端の突き当て部と圧縮コイルスプリングとをより隔てた状態でケーシングの円錐凹状のスプリング収納部内に圧縮コイルスプリングを簡単に収納することができるので、確実に可動接点を適切な位置に配置することができる。これにより、圧縮コイルスプリングがケーシングの突き当て部に引っ掛かり、組み付け中にその下端部の位置がずれることがなく、圧縮コイルスプリングの組み付け作業性をより一段と向上させることができ、良好な作動状態を常に得ることができる。
【発明を実施するための最良の形態】
【００１２】
以下、本発明の一実施形態を図面に基づいて説明する。
【００１３】
図１は本発明の一実施形態の電磁継電器を示す断面図である。
【００１４】
図１に示すように、電磁継電器１０は、底面側に開口部１１ａを有した箱形で合成樹脂製のケーシング（ベース）１１と、このケーシング１１の開口部１１ａ内に図示しないゴム製で環状のシール材を介して嵌め込まれるベースカバー１９と、箱形のケーシング１１内に収納された電磁ソレノイドユニット２０とを備えている。
【００１５】
ケーシング１１の天井壁１２は肉厚に形成してあり、その下面１２ａの中央には下から順に固定接点収納部（接点収納部）１３と可動接点収納部（接点収納部）１４及びスプリング収納部１５を円形段差凹状にそれぞれ形成してある。このケーシング１１の固定接点収納部１３の上面１３ａには、円板環状の固定接点１６を加締め固定してある。また、ケーシング１１の可動接点収納部１４内には、円板状の鍔部１７ｂを有した略円柱状の可動接点１７を上下方向に移動自在に収納してある。さらに、ケーシング１１のスプリング収納部１５内には、可動接点１７を固定接点１６側に押圧付勢する圧縮コイルスプリング１８を収納してある。尚、可動接点１７の円柱部１７ａの下部は、円板環状の固定接点１６の中央の孔部１６ａ内を貫通している。
【００１６】
また、ケーシング１１の可動接点収納部１４の上面１４ａのスプリング収納部１５の開口部１５ａの開口端１５ｂ側の周囲は、可動接点１７の鍔部１７ｂが当接する突き当て部１４ｂになっている。さらに、スプリング収納部１５は開口部１５ａの開口端１５ｂより上面１５ｃに行くに従って径が小さくなる円錐凹状になっている。即ち、スプリング収納部１５の周面１５ｄは円錐面状に形成してある。
【００１７】
さらに、圧縮コイルスプリング１８は円錐凹状のスプリング収納部１５の奥に行くに従って径が大きくなる逆円錐状に形成してある。そして、圧縮コイルスプリング１８の上端部１８ａは円錐凹状のスプリング収納部１５の上面１５ｃと周面１５ｄの境部分に当接していると共に、該圧縮コイルスプリング１８の下端部１８ｂは可動接点１７の鍔部１７ｂに形成された円環状の凹部１７ｃと円柱部１７ａの上部の境部分に当接している。このことにより、可動接点１７が適正な位置に配置される。
【００１８】
電磁ソレノイドユニット２０は、上下のフランジ部２１ａ，２１ｂの中央に円筒状のコイル巻胴部２１ｃを一体形成した合成樹脂製のボビン２１と、このボビン２１のコイル巻胴部２１ｃに巻き回されたコイル２２と、ボビン２１の底面に沿うように折り曲げられてケーシング１１の天井壁１２の下面１２ａに形成された一対の凹部１２ｂ，１２ｂに先端部２３ａが嵌め込まれる金属製でコ字状のフレーム２３と、このフレーム２３の両側部２３ｂ，２３ｂ間に介在されると共に、ボビン２１の上フランジ部２１ａの中央の凹部に嵌め込まれる金属製のフランジ受板２４と、ボビン２１の円筒状のコイル巻胴部２１ｃ内に圧縮コイルスプリング（リターンスプリング）２５を介して出没自在に配置された磁性体製のプランジャ２６とで構成されている。
【００１９】
ボビン２１の下フランジ部２１ｂには円柱状の突起２１ｄを突設してあり、この突起２１ｄはコ字状のフレーム２３の底部２３ｃに形成された円形の孔部２３ｄに嵌め込まれている。そして、コ字状のフレーム２３と該フレーム２３の両側部２３ｂ，２３ｂ間に掛け渡されたフランジ受板２４とで磁路が形成されるようになっている。
【００２０】
プランジャ２６は円板状のフランジ部２６ａと大径上部２６ｂと小径下部２６ｃとを一体形成してあり、このプランジャ２６の大径上部２６ｂはボビン２１の円筒状のコイル巻胴部２１ｃ内の上側に摺動自在に支持されている。また、プランジャ２６の大径上部２６ｂとコ字状のフレーム２３の底部２３ｃとの間に介在された圧縮コイルスプリング２５はプランジャ２６の小径下部２６ｃに挿通されている。さらに、この圧縮コイルスプリング２５の圧縮力（弾性付勢力）は、圧縮コイルスプリング１８の圧縮力（弾性付勢力）よりも強くなっている。これら各圧縮コイルスプリング１８，２５の弾性付勢力の差により、コイル２２に励磁電流が通電されないときは固定接点１６と可動接点１７とは離反しており、コイル２２に励磁電流が通電されたときは、プランジャ２６の小径下部２６ｃの底がフレーム２３の底部２３ｃに吸着されることで、圧縮コイルスプリング２５の弾性付勢力に抗してプランジャ２６が下方へ移動し、それに伴って可動接点１７も下方へ移動して、可動接点１７が固定接点１６に接触するようになっている。
【００２１】
以上実施形態の電磁継電器１０によれば、ケーシング１１のスプリング収納部１５の開口部１５ａの開口端１５ｂに可動接点１７が当接する突き当て部１４ｂを形成し、かつ、スプリング収納部１５を開口部１５ａの開口端１５ｂより奥に行くに従って径が小さくなる円錐凹状に形成したことにより、電磁継電器１０を組み付ける際、ケーシング１１に圧縮コイルスプリング１８、可動接点１７、固定接点１６を配置して、固定接点１６をケーシング１１に加締め固定する工程において、ケーシング１１のスプリング収納部１５の開口部１５ａの開口端１５ｂの突き当て部１４ｂに引っ掛かることなく圧縮コイルスプリング１８をケーシング１１のスプリング収納部１５内に簡単に収納することができる。これにより、圧縮コイルスプリング１８の組み付け作業性を向上させることができ、良好な作動状態を得ることができる。
【００２２】
特に、圧縮コイルスプリング１８をケーシング１１の円錐凹状のスプリング収納部１５の奥に行くに従って径が大きくなる逆円錐状に形成したことにより、ケーシング１１のスプリング収納部１５の開口部１５ａの開口端１５ｂの突き当て部１４ｂと圧縮コイルスプリング８とをより隔てた状態でケーシング１１の円錐凹状のスプリング収納部１５内に圧縮コイルスプリング１８を簡単に収納することができるので、確実に可動接点１７を適切な位置に配置することができる。これにより、圧縮コイルスプリング１８がケーシング１１の突き当て部１４ｂに引っ掛かり、組み付け中にその下端部１８ｂの位置がずれることがなく、圧縮コイルスプリング１８の組み付け作業性をより一段と向上させることができ、良好な作動状態を常に得ることができる。
【００２３】
また、図１に示す組み付け完成状態（電磁ソレノイドユニット２０のボビン２１のコイル２２に励磁電流が通電されていない状態）では、圧縮コイルスプリング２５の弾性付勢力が圧縮コイルスプリング１８の弾性付勢力よりも強いため、プランジャ２６のフランジ部２６ａにより可動接点１７が上方へ押し上げられ、該可動接点１７の鍔部１７ｂがケーシング１１の可動接点収納部１４の上面１４ａの突き当て部１４ｂに当接している。即ち、可動接点１７は固定接点１６から離反している。
【００２４】
そして、ボビン２１のコイル２２に励磁電流が通電されると、コイル２２が励磁されるため、コ字状のフレーム２３とフランジ受板２４とプランジャ２６を通る磁束が発生し、プランジャ２６が圧縮コイルスプリング２５の弾性付勢力に抗して下方に向けて吸引移動し、プランジャ２６のフランジ部２６ａがフランジ受板２４に吸着される。これにより、プランジャ２６の小径下部２６ｃの底がフレーム２３の底部２３ｃに吸着されることで、圧縮コイルスプリング２５の弾性付勢力に抗してプランジャ２６が下方へ移動し、それに伴って可動接点１７も下方へ移動して、可動接点１７が固定接点１６に接触する。
【図面の簡単な説明】
【００２５】
【図１】本発明の一実施形態の電磁継電器を示す断面図である。
【図２】従来の電磁継電器の断面図である。
【符号の説明】
【００２６】
１０  電磁継電器
１１  ケーシング
１３  固定接点収納部（接点収納部）
１４  可動接点収納部（接点収納部）
１４ｂ  突き当て部
１５  円錐凹状のスプリング収納部
１５ａ  開口部
１５ｂ  開口端
１６  固定接点
１７  可動接点
１８  逆円錐状の圧縮コイルスプリング
２１  ボビン
２１ｃ  コイル巻胴部
２２  コイル
２６  プランジャ
【図１】
2008084542.tif 000003
【図２】
2008084542.tif 000004